(57)【要約】      （修正有）【課題】ハンドオーバ直後の端末装置のスループットを速やかに高めることを可能にすること。【解決手段】本発明の基地局装置１００は、端末装置のハンドオーバのソース基地局からのハンドオーバメッセージに対する、端末装置のための測定に関するアップリンクリソースの情報を含む応答メッセージを取得する取得部１４５と、ハンドオーバメッセージに対する応答メッセージを、ソース基地局へ送信する第１通信処理部１４１と、を備える。【選択図】図２
2019068177.tif 000002
【特許請求の範囲】
【請求項１】
端末装置のハンドオーバのソース基地局からのハンドオーバメッセージに対する応答メッセージであって、前記端末装置のための測定に関するアップリンクリソースの情報を含む応答メッセージを取得する取得部と、
前記ハンドオーバメッセージに対する前記応答メッセージを、前記ソース基地局へ送信する第１通信処理部と、を備える装置。
【請求項２】
前記端末装置のための前記測定に関する前記アップリンクリソースの前記情報は、前記端末装置が測定情報を送信するためのリソースに関する情報を含む、請求項１記載の装置。
【請求項３】
前記測定情報は、ＣＳＩ（Channel  State  Information）である、請求項２記載の装置。
【請求項４】
前記端末装置のための前記測定に関する前記アップリンクリソースの前記情報は、前記端末装置がアップリンクリファレンス信号を送信するためのリソースに関する情報を含む、請求項１乃至３のうち何れか１項記載の装置。
【請求項５】
前記アップリンクリファレンス信号は、ＳＲＳ（Sounding  Reference  Signal）である、請求項４記載の装置。
【請求項６】
前記端末装置のための前記測定に関する前記アップリンクリソースの前記情報は、前記ソース基地局から前記端末装置へ送信される情報である、請求項１乃至５のうち何れか１項記載の装置。
【請求項７】
前記第１通信処理部は、ビームに関するビーム関連情報を含むハンドオーバメッセージを、前記ソース基地局から受信し、
前記端末装置のための前記測定に関する前記アップリンクリソースの前記情報は、前記ビーム関連情報に基づいて選択される無線リソース内におけるアップリンクリソースの情報であって、前記端末装置のための前記測定に関するアップリンクリソースの情報である、請求項１乃至６のうち何れか１項記載の装置。
【請求項８】
ビームフォーミングを用いてビームを送信する第２通信処理部を更に備え、
前記ビーム関連情報は、当該装置によりビームフォーミングを用いて送信されるビームに関する情報である、請求項７記載の装置。
【請求項９】
前記ビーム関連情報に基づいて選択される前記無線リソースに対応するビームフォーミング重みの１つ以上のセットを用いて、前記端末装置のための前記測定に関する前記アップリンクリソースの前記情報に基づいて前記端末装置から送信される信号を受信する第２通信処理部を更に備える、請求項７記載の装置。
【請求項１０】
前記ビーム関連情報は、前記端末装置から前記ソース基地局へ送信されるビーム関連情報に対応する、請求項７乃至９のうちの何れか１項記載の装置。
【発明の詳細な説明】
【技術分野】
【０００１】
本発明は、無線アクセスネットワークに関連する装置に関する。
【背景技術】
【０００２】
モバイルネットワークの飛躍的な容量拡大を実現するために、現在用いられている数百メガヘルツバンド及び数ギガヘルツバンドの周波数帯域に加え、さらに高い数十ギガヘルツバンドの周波数帯域が利用され得る。特に第５世代（５Ｇ）では、そのようなバンドを活用するために、大量のアンテナを用いて鋭い指向性ビームを形成することにより信号をユーザに伝送することが検討されている。
【０００３】
より高い周波数帯域では、大きな伝搬損失を補償するために、システム情報及びページング情報だけでなく、共通パイロット信号又はリファレンス信号等も含む、全てのダウンリンク信号／ダウンリンクチャネルが、ビームフォーミングを用いて送信されることも考えられる。同様に、アップリンクについても、伝搬損失の補償のために、全てのアップリンク信号／アップリンクチャネルがビームフォーミングを用いて受信されることも考えられる。
【０００４】
例えば、特許文献１には、端末装置のハンドオーバのソース基地局からターゲット基地局へ送信されるハンドオーバ要求メッセージの中にダウンリンクビームＩＤ及びアップリンクビームＩＤを含ませる技術が、開示されている。さらに、特許文献１によれば、ダウンリンクビームＩＤは、ハンドオーバ後に端末装置へのデータを送信するためのダウンリンクビームを指示するために使用され、アップリンクビームＩＤは、ハンドオーバ後に端末装置からのデータを受信するためのアップリンクビームを指示するために使用される。これにより、ハンドオーバの際にビームを選択するための動作を省略することが可能になり、ハンドオーバの遅延が小さくなる。
【先行技術文献】
【特許文献】
【０００５】
【特許文献１】特表２０１４−５３１８５２号公報
【発明の概要】
【発明が解決しようとする課題】
【０００６】
しかし、上記特許文献１に開示されている技術などでは、ハンドオーバ先のターゲット基地局は、ハンドオーバ直後の端末装置を考慮したデータチャネル（Data  CH）の割り当てのために時間を要する。このため、当該端末装置のスループットがハンドオーバ直後から上がりにくいという問題がある。
【０００７】
本発明の目的は、ハンドオーバ直後の端末装置のスループットを速やかに高めることを可能にする装置を提供することにある。
【課題を解決するための手段】
【０００８】
本発明の基地局は、端末装置のハンドオーバのソース基地局からのハンドオーバメッセージに対する応答メッセージであって、前記端末装置のための測定に関するアップリンクリソースの情報を含む応答メッセージを取得する取得部と、
前記ハンドオーバメッセージに対する前記応答メッセージを、前記ソース基地局へ送信する第１通信処理部と、を備える。
【発明の効果】
【０００９】
本発明によれば、ハンドオーバ直後の端末装置のスループットを速やかに高めることが可能になる。なお、本発明により、当該効果の代わりに、又は当該効果とともに、他の効果が奏されてもよい。
【図面の簡単な説明】
【００１０】
【図１】図１は、第１の実施形態に係るシステム１の概略的な構成の一例を示す説明図である。
【図２】図２は、第１の実施形態の基地局１００の概略的な構成の例を示すブロック図である。
【図３】図３は、第１の実施形態の基地局２００の概略的な構成の例を示すブロック図である。
【図４】図４は、第１の実施形態の端末装置３００の概略的な構成の例を示すブロック図である。
【図５】図５は、リファレンス信号が送信される複数のビームの一例を説明するための説明図である。
【図６】図６は、端末装置３００の測定報告の例を説明するための説明図である。
【図７】図７は、第１の実施形態に係る処理の概略的な流れの例を説明するためのシーケンス図である。
【図８】図８は、第１の実施形態の比較例に係る処理の概略的な流れの例を説明するためのシーケンス図である。
【図９】図９は、第２の実施形態に係るシステム２の概略的な構成の一例を示す説明図である。
【図１０】図１０は、第２の実施形態の基地局５００の概略的な構成の例を示すブロック図である。
【図１１】図１１は、第２の実施形態の基地局６００の概略的な構成の例を示すブロック図である。
【図１２】図１２は、第２の実施形態の端末装置７００の概略的な構成の例を示すブロック図である。
【発明を実施するための形態】
【００１１】
以下、添付の図面を参照して本発明の実施形態を詳細に説明する。なお、本明細書及び図面において、同様に説明されることが可能な要素については、同一の符号を付することにより重複説明が省略され得る。
【００１２】
説明は、以下の順序で行われる。
１．本発明の実施形態の概要
２．第１の実施形態
２．１．システムの構成
２．２．基地局１００の構成
２．３．基地局２００の構成
２．４．端末装置３００の構成
２．５．技術的特徴
３．第２の実施形態
３．１．システムの構成
３．２．基地局５００の構成
３．３．基地局６００の構成
３．４．端末装置７００の構成
３．５．技術的特徴
４．他の実施形態
【００１３】
＜＜１．本発明の実施形態の概要＞＞
まず、本発明の実施形態の概要を説明する。
【００１４】
（１）技術的課題
モバイルネットワークの飛躍的な容量拡大を実現するために、現在用いられている数百メガヘルツバンド及び数ギガヘルツバンドの周波数帯域に加え、さらに高い数十ギガヘルツバンドの周波数帯域が利用され得る。特に第５世代（５Ｇ）では、そのようなバンドを活用するために、大量のアンテナを用いて鋭い指向性ビームを形成することにより信号をユーザに伝送することが検討されている。
【００１５】
より高い周波数帯域では、大きな伝搬損失を補償するために、システム情報及びページング情報だけでなく、共通パイロット信号又はリファレンス信号等も含む、全てのダウンリンク信号／ダウンリンクチャネルが、ビームフォーミングを用いて送信されることも考えられる。同様に、アップリンクについても、伝搬損失の補償のために、全てのアップリンク信号／アップリンクチャネルがビームフォーミングを用いて受信されることも考えられる。
【００１６】
例えば、特許文献（特表２０１４−５３１８５２号公報）には、端末装置のハンドオーバのソース基地局からターゲット基地局へ送信されるハンドオーバ要求メッセージの中にダウンリンクビームＩＤ及びアップリンクビームＩＤを含ませる技術が、開示されている。さらに、上記特許文献によれば、ダウンリンクビームＩＤは、ハンドオーバ後に端末装置へのデータを送信するためのダウンリンクビームを指示するために使用され、アップリンクビームＩＤは、ハンドオーバ後に端末装置からのデータを受信するためのアップリンクビームを指示するために使用される。これにより、ハンドオーバの際にビームを選択するための動作を省略することが可能になり、ハンドオーバの遅延が小さくなる。
【００１７】
しかし、上記特許文献に開示されている技術などでは、ハンドオーバ先のターゲット基地局は、ハンドオーバ直後の端末装置を考慮したデータチャネル（Data  CH）の割り当てのために時間を要する。このため、当該端末装置のスループットがハンドオーバ直後から上がりにくいという問題がある。
【００１８】
そこで、ハンドオーバ直後の端末装置のスループットを速やかに高めることを可能にすることが望ましい。
【００１９】
（２）技術的特徴
本発明の実施形態では、例えば、ハンドオーバのターゲット基地局は、端末装置のハンドオーバのソース基地局からのハンドオーバメッセージに対する応答メッセージであって、上記端末装置のための測定に関するアップリンクリソースの情報を含む応答メッセージを取得し、上記ハンドオーバメッセージに対する上記応答メッセージを、上記ソース基地局へ送信する。
【００２０】
また、例えば、上記ソース基地局は、上記ターゲット基地局から、上記端末装置のための上記測定に関する上記アップリンクリソースの上記情報を含む上記応答メッセージを受信し、上記端末装置のための上記測定に関する上記アップリンクリソースの上記情報に対応する情報を含むハンドオーバコマンドメッセージを、上記端末装置に送信する。
【００２１】
さらに、例えば、上記端末装置は、上記ソース基地局から、上記端末装置のための測定に関するアップリンクリソースの情報を含むハンドオーバコマンドメッセージを受信し、上記測定に関する上記アップリンクリソースの上記情報を用いて、上記ターゲット基地局に信号を送信する。
【００２２】
これにより、例えば、ハンドオーバ直後の端末装置を考慮したデータチャネル（Data  CH）の割り当てのために時間を削減することが可能になる。そのため、ハンドオーバ直後の端末装置のスループットを速やかに高めることが可能になる。
【００２３】
なお、上述した技術的特徴は本発明の実施形態の具体的な一例であり、当然ながら、本発明の実施形態は上述した技術的特徴に限定されない。
【００２４】
＜＜２．第１の実施形態＞＞
続いて、図１〜図８を参照して、本発明の第１の実施形態を説明する。
【００２５】
＜２．１．システムの構成＞
図１を参照して、第１の実施形態に係るシステム１の構成の例を説明する。図１は、第１の実施形態に係るシステム１の概略的な構成の一例を示す説明図である。図１を参照すると、システム１は、基地局１００、基地局２００及び端末装置３００を含む。
【００２６】
例えば、システム１は、３ＧＰＰ（Third  Generation  Partnership  Project）の規格（standard）に準拠したシステムであってもよい。より具体的には、例えば、システム１は、ＬＴＥ／ＬＴＥ−Ａｄｖａｎｃｅｄ及び／又はＳＡＥ（System  Architecture  Evolution）の規格／仕様に準拠したシステムであってもよい。あるいは、システム１は、第５世代（５Ｇ）／ＮＲ（New  Radio）の規格／仕様に準拠したシステムであってもよい。当然ながら、システム１は、これらの例に限定されない。
【００２７】
（１）基地局１００
基地局１００は、無線アクセスネットワーク（Radio  Access  Network：ＲＡＮ）のノードであり、カバレッジエリア１０内に位置する端末装置（例えば、端末装置３００）との無線通信を行う。第１の実施形態では、基地局１００は、ビームフォーミングを用いて無線通信を行う。
【００２８】
なお、基地局１００は、ｅＮＢ（evolved  Node  B）であってもよく、又は、５ＧにおけるｇＮＢ（generation  Node  B）であってもよい。基地局１００は、複数のユニット（又は複数のノード）を含んでもよい。当該複数のユニット（又は複数のノード）は、上位のプロトコルレイヤの処理を行う第１ユニット（又は第１ノード）と、下位のプロトコルレイヤの処理を行う第２ユニット（又は第２ノード）とを含んでもよい。一例として、上記第１ユニットは、中央ユニット（Center/Central  Unit：ＣＵ）と呼ばれてもよく、上記第２のユニットは、分散ユニット（Distributed  Unit：ＤＵ）又はアクセスユニット（Access  Unit：ＡＵ）と呼ばれてもよい。別の例として、上記第１ユニットは、デジタルユニット（Digital  Unit：ＤＵ）と呼ばれてもよく、上記第２ユニットは、無線ユニット（Radio  Unit：ＲＵ）又はリモートユニット（Remote  Unit：ＲＵ）と呼ばれてもよい。上記ＤＵ（Digital  Unit）は、ＢＢＵ（Base  Band  Unit）であってもよく、上記ＲＵは、ＲＲＨ（Remote  Radio  Head）又はＲＲＵ（Remote  Radio  Unit）であってもよい。当然ながら、上記第１ユニット（又は第１のノード）及び上記第２ユニット（又は第２のノード）の呼称は、この例に限定されない。あるいは、基地局１００は、単一のユニット（又は単一のノード）であってもよい。この場合に、基地局１００は、上記複数のユニットのうちの１つ（例えば、上記第１ユニット及び上記第２ユニットの一方）であってもよく、上記複数のユニットのうちの他のユニット（例えば、上記第１ユニット及び上記第２ユニットの他方）と接続されていてもよい。
【００２９】
（２）基地局２００
基地局２００は、基地局１００と同様に、端末装置との無線通信を行うノードであり、カバレッジエリア２０内に位置する端末装置（例えば、端末装置３００）との無線通信を行う。
【００３０】
第１の実施形態では、例えば、基地局２００は、基地局１００と同様に、ビームフォーミングを用いて端末装置との無線通信を行う。あるいは、基地局２００は、基地局１００とは異なる態様で、ビームフォーミングを用いて端末装置との無線通信を行ってもよく、又は、ビームフォーミングを用いずに端末装置との無線通信を行ってもよい。
【００３１】
（３）端末装置３００
端末装置３００は、基地局との無線通信を行う。例えば、端末装置３００は、カバレッジエリア１０内に位置する場合に、基地局１００との無線通信を行い、カバレッジエリア２０内に位置する場合に、基地局２００との無線通信を行う。
【００３２】
とりわけ第１の実施形態では、（例えば端末装置３００の移動に起因して）基地局２００から基地局１００への端末装置３００のハンドオーバが行われる。この場合に、基地局２００は、上記ハンドオーバのソース基地局であり、基地局１００は、上記ハンドオーバのターゲット基地局である。
【００３３】
＜２．２．基地局１００の構成＞
次に、図２を参照して、第１の実施形態の基地局１００の構成の例を説明する。図２は、第１の実施形態の基地局１００の概略的な構成の例を示すブロック図である。図２を参照すると、基地局１００は、無線通信部１１０、ネットワーク通信部１２０、記憶部１３０及び処理部１４０を備える。
【００３４】
（１）無線通信部１１０
無線通信部１１０は、信号を無線で送受信する。例えば、無線通信部１１０は、端末装置からの信号を受信し、端末装置への信号を送信する。
【００３５】
（２）ネットワーク通信部１２０
ネットワーク通信部１２０は、バックホールから信号を受信し、バックホールへ信号を送信する。
【００３６】
（３）記憶部１３０
記憶部１３０は、基地局１００の動作のためのプログラム及びパラメータ、並びに様々なデータを、一時的に又は恒久的に記憶する。当該プログラムは、基地局１００の動作のための１つ以上の命令を含む。
【００３７】
（４）処理部１４０
処理部１４０は、基地局１００の様々な機能を提供する。処理部１４０は、第１通信処理部１４１、第２通信処理部１４３、及び取得部１４５を含む。なお、処理部１４０は、これらの構成要素以外の他の構成要素をさらに含み得る。即ち、処理部１４０は、これらの構成要素の動作以外の動作も行い得る。第１通信処理部１４１、第２通信処理部１４３、及び取得部１４５の具体的な動作は、後に詳細に説明する。
【００３８】
例えば、処理部１４０（第１通信処理部１４１）は、ネットワーク通信部１２０を介して他のネットワークノード（例えば、基地局２００）と通信する。例えば、処理部１４０（第２通信処理部１４３）は、無線通信部１１０を介して端末装置（例えば、端末装置３００）と通信する。
【００３９】
（５）実装例
無線通信部１１０は、アンテナ及び高周波（Radio  Frequency：ＲＦ）回路等により実装されてもよく、当該アンテナは、指向性アンテナであってもよい。ネットワーク通信部１２０は、ネットワークアダプタ又はネットワークインタフェースカード等により実装されてもよい。記憶部１３０は、メモリ（例えば、不揮発性メモリ及び／若しくは揮発性メモリ）並びに／又はハードディスク等により実装されてもよい。処理部１４０は、ベースバンド（Baseband：ＢＢ）プロセッサ及び／又は他のプロセッサ等により実装されてもよい。第１通信処理部１４１、第２通信処理部１４３、及び取得部１４５は、同一のプロセッサにより実装されてもよく、別々に異なるプロセッサにより実装されてもよい。上記メモリ（記憶部１３０）は、このようなプロセッサ（チップ）内に含まれてもよい。
【００４０】
基地局１００は、プログラム（命令）を記憶するメモリと、当該プログラム（命令）を実行可能な１つ以上のプロセッサとを含んでもよい。当該１つ以上のプロセッサは、上記プログラムを実行して、処理部１４０の動作（第１通信処理部１４１、第２通信処理部１４３、及び取得部１４５の動作）を行ってもよい。上記プログラムは、処理部１４０の動作（第１通信処理部１４１、第２通信処理部１４３、及び取得部１４５の動作）をプロセッサに実行させるためのプログラムであってもよい。
【００４１】
なお、基地局１００は、仮想化されていてもよい。即ち、基地局１００は、仮想マシンとして実装されてもよい。この場合に、基地局１００（仮想マシン）は、プロセッサ及びメモリ等を含む物理マシン（ハードウェア）及びハイパーバイザ上で仮想マシンとして動作してもよい。
【００４２】
＜２．３．基地局２００の構成＞
次に、図３を参照して、第１の実施形態の基地局２００の構成の例を説明する。図３は、第１の実施形態の基地局２００の概略的な構成の例を示すブロック図である。図３を参照すると、基地局２００は、無線通信部２１０、ネットワーク通信部２２０、記憶部２３０及び処理部２４０を備える。
【００４３】
（１）無線通信部２１０
無線通信部２１０は、信号を無線で送受信する。例えば、無線通信部２１０は、端末装置からの信号を受信し、端末装置への信号を送信する。
【００４４】
（２）ネットワーク通信部２２０
ネットワーク通信部２２０は、バックホールから信号を受信し、バックホールへ信号を送信する。
【００４５】
（３）記憶部２３０
記憶部２３０は、基地局２００の動作のためのプログラム及びパラメータ、並びに様々なデータを、一時的に又は恒久的に記憶する。当該プログラムは、基地局２００の動作のための１つ以上の命令を含む。
【００４６】
（４）処理部２４０
処理部２４０は、基地局２００の様々な機能を提供する。処理部２４０は、第１通信処理部２４１及び第２通信処理部２４３を含む。なお、処理部２４０は、これらの構成要素以外の他の構成要素をさらに含み得る。即ち、処理部２４０は、これらの構成要素の動作以外の動作も行い得る。第１通信処理部２４１及び第２通信処理部２４３の具体的な動作は、後に詳細に説明する。
【００４７】
例えば、処理部２４０（第１通信処理部２４１）は、ネットワーク通信部２２０を介して他のネットワークノード（例えば、基地局１００）と通信する。例えば、処理部２４０（第２通信処理部２４３）は、無線通信部２１０を介して端末装置（例えば、端末装置３００）と通信する。
【００４８】
（５）実装例
無線通信部２１０は、アンテナ及び高周波（Radio  Frequency：ＲＦ）回路等により実装されてもよく、当該アンテナは、指向性アンテナであってもよい。ネットワーク通信部１２０は、ネットワークアダプタ又はネットワークインタフェースカード等により実装されてもよい。記憶部２３０は、メモリ（例えば、不揮発性メモリ及び／若しくは揮発性メモリ）並びに／又はハードディスク等により実装されてもよい。処理部２４０は、ベースバンド（Baseband：ＢＢ）プロセッサ及び／又は他のプロセッサ等により実装されてもよい。第１通信処理部２４１、及び第２通信処理部２４３は、同一のプロセッサにより実装されてもよく、別々に異なるプロセッサにより実装されてもよい。上記メモリ（記憶部２３０）は、このようなプロセッサ（チップ）内に含まれてもよい。
【００４９】
基地局２００は、プログラム（命令）を記憶するメモリと、当該プログラム（命令）を実行可能な１つ以上のプロセッサとを含んでもよい。当該１つ以上のプロセッサは、上記プログラムを実行して、処理部２４０の動作（第１通信処理部２４１、及び第２通信処理部２４３の動作）を行ってもよい。上記プログラムは、処理部２４０の動作（第１通信処理部２４１、及び第２通信処理部２４３の動作）をプロセッサに実行させるためのプログラムであってもよい。
【００５０】
なお、基地局２００は、仮想化されていてもよい。即ち、基地局２００は、仮想マシンとして実装されてもよい。この場合に、基地局２００（仮想マシン）は、プロセッサ及びメモリ等を含む物理マシン（ハードウェア）及びハイパーバイザ上で仮想マシンとして動作してもよい。
【００５１】
＜２．４．端末装置３００の構成＞
次に、図４を参照して、第１の実施形態の端末装置３００の構成の例を説明する。図４は、第１の実施形態の端末装置３００の概略的な構成の例を示すブロック図である。図４を参照すると、端末装置３００は、無線通信部３１０、記憶部３２０及び処理部３３０を備える。
【００５２】
（１）無線通信部３１０
無線通信部３１０は、信号を無線で送受信する。例えば、無線通信部３１０は、基地局からの信号を受信し、基地局への信号を送信する。
【００５３】
（２）記憶部３２０
記憶部３２０は、端末装置３００の動作のためのプログラム及びパラメータ、並びに様々なデータを、一時的に又は恒久的に記憶する。
【００５４】
（３）処理部３３０
処理部３３０は、端末装置３００の様々な機能を提供する。処理部３３０は、受信処理部３３１及び送信処理部３３３を含む。なお、処理部３３０は、これらの構成要素以外の他の構成要素をさらに含み得る。即ち、処理部３３０は、これらの構成要素の動作以外の動作も行い得る。受信処理部３３１及び送信処理部３３３の具体的な動作は、後に詳細に説明する。
【００５５】
例えば、処理部３３０は、無線通信部３１０を介して基地局（例えば、基地局１００及び／又は基地局２００）と通信する。
【００５６】
（４）実装例
無線通信部３１０は、アンテナ及び高周波（ＲＦ）回路等により実装されてもよい。記憶部３２０は、メモリ（例えば、不揮発性メモリ及び／若しくは揮発性メモリ）並びに／又はハードディスク等により実装されてもよい。処理部３３０は、ベースバンド（ＢＢ）プロセッサ及び／又は他のプロセッサ等により実装されてもよい。受信処理部３３１及び送信処理部３３３は、同一のプロセッサにより実装されてもよく、別々に異なるプロセッサにより実装されてもよい。上記メモリ（記憶部３２０）は、このようなプロセッサ（チップ）内に含まれてもよく、又は、上記１つ以上のプロセッサ外にあってもよい。一例として、処理部３３０は、ＳｏＣ（System  on  Chip）内で実装されてもよい。
【００５７】
端末装置３００は、プログラム（命令）を記憶するメモリと、当該プログラム（命令）を実行可能な１つ以上のプロセッサとを含んでもよい。当該１つ以上のプロセッサは、上記プログラムを実行して、処理部３３０の動作（受信処理部３３１及び送信処理部３３３の動作）を行ってもよい。上記プログラムは、処理部３３０の動作（受信処理部３３１及び送信処理部３３３の動作）をプロセッサに実行させるためのプログラムであってもよい。
【００５８】
＜２．５．技術的特徴＞
次に、図５〜図８を参照して、第１の実施形態の技術的特徴を説明する。
【００５９】
第１の実施形態では、基地局１００（取得部１４５）は、端末装置３００のハンドオーバのソース基地局（基地局２００）からのハンドオーバメッセージに対する応答メッセージであって、端末装置３００のための測定に関するアップリンクリソースの情報を含む応答メッセージを取得する。そして、基地局１００（第１通信処理部１４１）は、上記ハンドオーバメッセージに対する上記応答メッセージを、上記ソース基地局（基地局２００）へ送信する。
【００６０】
端末装置３００のための上記測定に関する上記アップリンクリソースの上記情報は、上記ソース基地局（基地局２００）から端末装置３００へ送信される情報である。
【００６１】
すなわち、基地局２００（第１通信処理部２４１）は、端末装置３００のハンドオーバのターゲット基地局（基地局１００）から、端末装置３００のための上記測定に関する上記アップリンクリソースの上記情報を含む上記応答メッセージを受信する。そして、基地局２００（第２通信処理部２４３）は、端末装置３００のための上記測定に関する上記アップリンクリソースの上記情報に対応する情報を含むハンドオーバコマンドメッセージを、端末装置３００に送信する。
【００６２】
さらに、端末装置３００（受信処理部３３１）は、上記ソース基地局（基地局２００）から、端末装置３００のための上記測定に関する上記アップリンクリソースの上記情報を含む上記ハンドオーバコマンドメッセージを受信する。そして、端末装置３００（送信処理部３３３）は、上記測定に関する上記アップリンクリソースの上記情報を用いて、上記ターゲット基地局（基地局１００）に信号を送信する。
【００６３】
とりわけ、基地局１００（第２通信処理部１４３）は、端末装置３００のための上記測定に関する上記アップリンクリソースの上記情報に基づいて端末装置３００から送信される信号を受信する。
【００６４】
（１）端末装置３００のための測定に関するアップリンクリソース
端末装置３００のための上記測定は、例えば、端末装置３００により行われる測定である。すなわち、端末装置３００のための上記測定に関する上記アップリンクリソースは、例えば端末装置３００が測定情報を送信するためのリソースである。
【００６５】
また、端末装置３００のための上記測定は、例えば、端末装置３００のために基地局１００により行われる測定であってもよい。すなわち、端末装置３００のための上記測定に関する上記アップリンクリソースは、例えば端末装置３００のための測定（基地局１００により行われる測定）に用いられるアップリンクリファレンス信号を送信するためのリソースであってもよい。
【００６６】
−測定情報
端末装置３００のための上記測定に関する上記アップリンクリソースの上記情報は、例えば、端末装置３００が測定情報を送信するためのリソースに関する情報を含んでもよい。具体的には、端末装置３００のための上記測定に関する上記アップリンクリソースの上記情報は、端末装置３００が上記測定情報を送信するためのリソースを指示する情報を含んでもよい。
【００６７】
より具体的に、上記測定情報は、例えばＣＳＩ（Channel  State  Information）である。言い換えれば、端末装置３００のための上記測定に関する上記アップリンクリソースの上記情報は、端末装置３００がＣＳＩを送信するためのアップリンクリソースを指定する情報（ＣＳＩリソース指定情報）である。
【００６８】
例えば、上記ターゲット基地局（基地局１００の取得部１３１）は、アップリンクリソースの割当情報などに基づき、端末装置３００がＣＳＩを送信するためのリソースをアップリンクリソースに割り当てることにより上記ＣＳＩリソース指定情報を取得する。そして、上記ＣＳＩリソース指定情報は、上記ソース基地局（基地局２００）から端末装置３００へ送信される。
【００６９】
一方、例えば端末装置３００が上記ソース基地局（基地局２００）から上記ハンドオーバコマンドメッセージを受信した後、端末装置３００（送信処理部３３３）は、ＣＳＩを、上記ＣＳＩリソース指定情報が指定するアップリンクリソースにマッピングすることにより上記ターゲット基地局（基地局２００）に送信する。
【００７０】
このようにして、端末装置３００は、上記ハンドオーバメッセージの受信後、速やかにＣＳＩを上記ターゲット基地局（基地局２００）に送信することができる。
【００７１】
−アップリンクリファレンス信号
端末装置３００のための上記測定に関する上記アップリンクリソースの上記情報は、例えば、端末装置３００がアップリンクリファレンス信号を送信するためのリソースに関する情報を含んでもよい。具体的には、端末装置３００のための上記測定に関する上記アップリンクリソースの上記情報は、端末装置３００が上記アップリンクリファレンス信号を送信するためのリソースを指示する情報を含んでもよい。
【００７２】
上記アップリンクリファレンス信号は、例えば基地局１００により端末装置３００のための測定に用いられるリファレンス信号である。より具体的に、上記アップリンクリファレンス信号は、例えばＳＲＳ（Sounding  Reference  Signal）である。言い換えれば、端末装置３００のための上記測定に関する上記アップリンクリソースの上記情報は、端末装置３００がＳＲＳを送信するためのアップリンクリソースを指定する情報（ＳＲＳリソース指定情報）である。
【００７３】
例えば、上記ターゲット基地局（基地局１００の取得部１３１）は、アップリンクリソースの割当情報などに基づき、端末装置３００がＳＲＳを送信するためのリソースをアップリンクリソースに割り当てることにより上記ＳＲＳリソース指定情報を取得する。そして、上記ＳＲＳリソース指定情報は、上記ソース基地局（基地局２００）から端末装置３００へ送信される。
【００７４】
一方、例えば端末装置３００が上記ソース基地局（基地局２００）から上記ハンドオーバコマンドメッセージを受信した後、端末装置３００（送信処理部３３３）は、ＳＲＳを、上記ＳＲＳリソース指定情報が指定するアップリンクリソースにマッピングすることにより上記ターゲット基地局（基地局２００）に送信する。このようにして、端末装置３００は、上記ハンドオーバメッセージの受信後、速やかにＳＲＳを上記ターゲット基地局（基地局２００）に送信することができる。
【００７５】
（２）ハンドオーバメッセージ
上述したように、基地局２００（ソース基地局）は、端末装置３００のための上記測定に関する上記アップリンクリソースの上記情報を含むハンドオーバメッセージを基地局１００（ターゲット基地局）へ送信する。当該ハンドオーバメッセージは、基地局２００から基地局１００へ直接的に送信されてもよく（例えばＸ２ハンドオーバのケース）、又は、コアネットワークを介して基地局２００から基地局１００へ送信されてもよい（例えばＳ１ハンドオーバのケース）。
【００７６】
例えば、上記ハンドオーバメッセージは、ハンドオーバ要求（HANDOVER  REQUEST）メッセージである。また、上記応答メッセージは、ハンドオーバ要求確認応答（HANDOVER  REQUEST  ACKNOWLEDGE）メッセージである。以降、上記ハンドオーバメッセージがハンドオーバ要求メッセージであり、上記応答メッセージがハンドオーバ要求確認応答であるものとして、第１の実施形態の例を説明する。しかしながら、第１の実施形態では、ハンドオーバ要求メッセージに限られず、ハンドオーバ手続きにおいてソース基地局からターゲット基地局へ送信される他のメッセージが使用されてもよい。
【００７７】
（３）ビーム関連情報
例えば、上記ハンドオーバメッセージは、ビームに関するビーム関連情報を含んでもよい。すなわち、基地局１００（第１通信処理部１４１）は、上記ソース基地局（基地局２００）から、上記ビーム関連情報を含む上記ハンドオーバメッセージを受信してもよい。
【００７８】
この場合、端末装置３００のための上記測定に関する上記アップリンクリソースの上記情報は、上記ビーム関連情報に基づいて選択される無線リソース内におけるアップリンクリソースの情報であって、端末装置３００のための上記測定に関するアップリンクリソースの情報であってもよい。例えば、基地局１００（取得部１４５）は、端末装置３００のための測定に関するアップリンクリソースを、上記ビーム関連情報に基づいて選択される無線リソース内に割り当てることにより、端末装置３００のための上記測定に関する上記アップリンクリソースの上記情報を取得することができる。
【００７９】
（３−１）ビーム関連情報
上記ビーム関連情報は、例えば、端末装置３００からソース基地局（基地局２００）へ送信される第１のビーム関連情報に対応する第２のビーム関連情報である。
【００８０】
すなわち、端末装置３００（送信処理部３３３）は、上記第１のビーム関連情報を上記ソース基地局（基地局２００）に送信する。一方、基地局２００（第２通信処理部２４３）は、端末装置３００から上記第１のビーム関連情報を受信する。そして、基地局２００（第２通信処理部２４３）は、上記第１のビーム関連情報に対応する上記第２のビーム関連情報を含むハンドオーバメッセージを、上記ターゲット基地局（基地局１００）に送信する。
【００８１】
−第１のビーム関連情報
上記第１のビーム関連情報は、例えば、上記ターゲット基地局（基地局１００）によりビームフォーミングを用いて送信されるビームに関する情報である。
【００８２】
具体的には、上記第１のビーム関連情報は、上記ターゲット基地局（基地局１００）によりビームフォーミングを用いて送信されるリファレンス信号に関する情報である。
【００８３】
（ターゲット基地局により送信されるリファレンス信号）
例えば、基地局１００（第１通信処理部１４１）は、複数のビームによりリファレンス信号を送信する。当該複数のビームは、基地局１００が信号を送信するビーム（又は基地局１００が信号を送信するために形成するビーム）とも言える。上記複数のビームは、互いに異なる方向を向いたビームである。ここでのビームとは、指向性ビームを意味し、例えば、ビームフォーミング重み（beamforming  weights）のセットを信号に乗算し、指向性アンテナを用いて乗算後の信号を送信することにより、形成される。以下、図５を参照して、当該複数のビームの具体例を説明する。
【００８４】
図５は、リファレンス信号が送信される複数のビームの一例を説明するための説明図である。図５を参照すると、基地局１００、カバレッジエリア１０及び１６個のビーム１１（ビーム１１Ａ〜１１Ｐ）が示されている。例えばこのように、基地局１００は、１６個のビーム１１によりリファレンス信号を送信する。一例として、各ビームは、ビームインデックス（又は重みインデックス）により識別される。例えば、ビーム１１Ａは、＃０というインデックスにより識別され、ビーム１１Ｊは、＃９というインデックスにより識別される。
【００８５】
（第１のビーム関連情報の取得）
例えば、上記第１のビーム関連情報は、上記ターゲット基地局（基地局１００）によりビームフォーミングを用いて送信されるリファレンス信号の測定結果に基づいて取得されてもよい。そして、上記第１のビーム関連情報は、上記ソース基地局（基地局２００）への測定報告に含まれてもよい。
【００８６】
より具体的には端末装置３００は、例えば図５に示すように各ビームにより送信されるリファレンス信号の測定を行い、好ましい測定結果（例えば、好ましい受信電力又は受信品質）を伴うビームを選択する。換言すると、端末装置３００は、好ましいビームフォーミング重み（preferred  beamforming  weight）を選択する。そして、端末装置３００は、選択された当該ビームに関する第１のビーム関連情報と上記好ましい測定結果とを含む測定報告（measurement  report）を、基地局２００へ送信する。
【００８７】
図６は、端末装置３００の測定報告の例を説明するための説明図である。図６を参照すると、基地局１００及び端末装置３００が示されている。例えば、端末装置３００は、各ビームにより送信されるリファレンス信号の測定を行い、好ましい測定結果を伴うビーム＃８、＃９、＃１０（ビーム１１Ｉ、１１Ｊ、１１Ｋ）を選択する。そして、端末装置３００は、ビーム＃８、＃９、＃１０（ビーム１１Ｉ、１１Ｊ、１１Ｋ）に関する第１のビーム関連情報（例えば、＃８、＃９、＃１０というビームインデックス／重みインデックス）と上記好ましい測定結果とを含む測定報告を、基地局２００へ送信する。
【００８８】
これにより、例えば、基地局２００は測定報告を通じて基地局１００についての第１のビーム関連情報を取得することが可能になる。
【００８９】
−第２のビーム関連情報
上述したように、上記第２のビーム関連情報は、上記第１のビーム関連情報に対応する。
【００９０】
例えば、上記第２のビーム関連情報は、上記第１のビーム関連情報と同一の情報である。即ち、基地局２００は、端末装置３００から受信した上記第１のビーム関連情報と同一の第２のビーム関連情報をハンドオーバ要求メッセージに含め、当該ハンドオーバ要求メッセージを基地局１００へ送信する。
【００９１】
あるいは、上記第２のビーム関連情報は、上記第１のビーム関連情報とは異なる情報であってもよい。例えば、基地局１００は、上記第１のビーム関連情報を上記第２のビーム関連情報に変換し、当該第２のビーム関連情報を含むハンドオーバ要求メッセージを基地局１００へ送信してもよい。
【００９２】
−ビーム関連情報の例
上記ビーム関連情報（上記第１のビーム関連情報及び上記第２のビーム関連情報）は、ビームに関する情報である。ビームは、ビームフォーミング重み（ビームフォーミング重みのセット）を用いて形成されるので、ビームと、ビームフォーミング重みのセットとは、１対１で互いに対応し得る。そのため、上記ビーム関連情報は、ビームフォーミング重みに関する情報（例えば、重み関連情報）とも言える。
【００９３】
上記ビーム関連情報は、基地局１００についての情報である。例えば、上記ビーム関連情報は、基地局１００のビーム（基地局１００が信号の送信に用いるビーム）に関する情報である。
【００９４】
例えば、上記ビーム関連情報は、複数のビームのうちの１つ以上に関する情報である。具体的には、例えば、上記ビーム関連情報は、上記複数のビームのうちの１つ以上を示す情報であり、換言すると、上記複数のビームのうちの１つ以上の識別を可能にする情報（例えばビーム識別情報）である。一例として、上記ビーム関連情報は、ビームインデックスである。あるいは、上記ビーム関連情報は、ビームフォーミング重みの複数のセットのうちの１つ以上のセットを示す情報であってもよく、換言すると、上記複数のセットのうちの１つ以上のセットの識別を可能にする情報（例えば重み識別情報）であってもよい。一例として、上記ビーム関連情報は、重みインデックスであってもよい。ビームは、ビームフォーミング重みのセットを用いて形成されるので、ビームと、ビームフォーミング重みのセットとは、１対１で互いに対応し得る。そのため、上記ビーム関連情報は、上記複数のビームのうちの１つ以上を示す情報（１つ以上のビームインデックス）であり、且つ、上記複数のセットのうちの１つ以上を示す上記情報（１つ以上の重みインデックス）であってもよい。即ち、ビームインデックスと重みインデックスとは、呼び方が異なるが、同一のインデックスであってもよい。当然ながら、上記ビーム関連情報は、ビーム又はビームフォーミング重みのセットの識別を可能にする他の名称の情報（ビームＩＤ、重みＩＤ、ビームフォーミングインデックス、又はビームフォーミングＩＤ等）であってもよい。
【００９５】
（３−２）ビーム関連情報に基づいて選択される無線リソース
上述したように、端末装置３００のための上記測定に関する上記アップリンクリソースの上記情報は、上記ビーム関連情報に基づいて選択される無線リソース内におけるアップリンクリソースの情報であって、端末装置３００のための上記測定に関するアップリンクリソースの情報であってもよい。
【００９６】
例えば、端末装置３００のための上記測定に関する上記アップリンクリソースの上記情報は、上記ビーム関連情報に基づいて選択される１以上のビームに対応する無線リソース内におけるアップリンクリソースの情報であって、端末装置３００のための上記測定に関するアップリンクリソースの情報である。若しくは、端末装置３００のための上記測定に関する上記アップリンクリソースの上記情報は、上記ビーム関連情報に基づいて選択されるビームフォーミング重みの１つ以上のセットに対応する無線リソース内におけるアップリンクリソースの情報であって、端末装置３００のための上記測定に関するアップリンクリソースの情報であってもよい。
【００９７】
具体的に、端末装置３００のための上記測定に関する上記アップリンクリソースの上記情報は、上記ビーム関連情報に基づいて選択される１以上のビーム／ビームフォーミング重みのセットの識別情報、及び当該識別情報で識別されるビーム／ビームフォーミング重みのセットに対応する無線リソース内におけるアップリンクリソースの情報であって、ＣＳＩ及び／又はＳＲＳのためのリソースを指定する情報（ＣＳＩ／ＳＲＳリソース指定情報）が含まれる。
【００９８】
端末装置３００（送信処理部３３３）は、端末装置３００のための上記測定に関する上記アップリンクリソースの上記情報に基づき、上記ビーム関連情報に基づいて選択される無線リソース（上記前記第１のビーム関連情報に対応する第２のビーム関連情報に基づいて選択される無線リソース）を用いて、上記ターゲット基地局（基地局１００）に信号（例えばＣＳＩ及び／又はＳＲＳなど）を送信する。
【００９９】
一方、上記ターゲット基地局である基地局１００（第２通信処理部１４３）は、上記ビーム関連情報に基づいて選択される上記無線リソースに対応するビームフォーミング重みの１つ以上のセットを用いて、端末装置３００のための上記測定に関する上記アップリンクリソースに基づいて端末装置３００から送信される信号（例えばＣＳＩ及び／又はＳＲＳなど）を受信する。
【０１００】
図６で示した具体例に当てはめて説明すると、上記第１のビーム関連情報が良好な測定結果を伴うビーム＃８、＃９、＃１０であり、上記第１のビーム関連情報と上記第２のビーム関連情報が同一の場合、端末装置３００のための上記測定に関する上記アップリンクリソースは、次のようにして上記ビーム関連情報に基づいて選択される上記無線リソース内に割り当てられる。
【０１０１】
すなわち、上記ターゲット基地局（基地局１００）は、上記第１のビーム関連情報に基づき、良好な測定結果を伴う３つビーム候補（ビーム＃８、＃９、＃１０）の中から、一つ又は複数個のビームを選択する。そして、例えば１つのビーム＃９が選択された場合には、基地局１００（例えば取得部１４５）は、ビーム＃９に対応する無線リソース内に、端末装置３００のための上記測定に関する上記アップリンクリソースを割り当てることができる。
【０１０２】
これにより、基地局１００（取得部１４５）は、上記アップリンクリソースがビーム＃９に対応する無線リソース内に端末装置３００のための上記測定に関する上記アップリンクリソースの上記情報を、取得することができる。
【０１０３】
また、端末装置３００（送信処理部３３３）は、端末装置３００のための上記測定に関する上記アップリンクリソースの上記情報に基づいて、例えばＣＳＩ及びＳＲＳなどの端末装置３００のための上記測定に関する情報を、ビーム＃９に対応する無線リソースにマッピングすることにより、上記ターゲット基地局（基地局１００）に送信することができる。
【０１０４】
一方、基地局１００（第２通信処理部１４３）は、ビーム＃９に対応するビームフォーミング重みのセットを用いて、端末装置３００から送信される信号（例えばＣＳＩ及びＳＲＳなど）を受信することができる。
【０１０５】
（４）処理の流れ
−第１の実施形態に係る処理の例
図７を参照して、第１の実施形態に係る処理の例を説明する。図７は、第１の実施形態に係る処理の概略的な流れの例を説明するためのシーケンス図である。
【０１０６】
端末装置３００は、基地局１００によりビームフォーミングを用いて送信されるリファレンス信号の測定を行い、好ましいビームフォーミング重みを選択する。そして、端末装置３００は、当該好ましいビームフォーミング重みを示す重みインデックスを含む測定報告を基地局２００（ソース基地局）へ送信する（Ｓ４０１）。当該測定報告は、例えば、上記リファレンス信号の測定結果を含む。
【０１０７】
その後、基地局２００（ソース基地局）から基地局１００（ターゲット基地局）への端末装置３００のハンドオーバが決定され、基地局２００は、上記好ましいビームフォーミング重みを示す重みインデックスを含むハンドオーバ要求メッセージを、基地局１００へ送信する（Ｓ４０３）。
【０１０８】
基地局１００は、上記ハンドオーバ要求メッセージに含まれる上記重みインデックスを取得すると、上記重みインデックス、及び自基地局（基地局１００）内のリソース割当状況等に基づいて、１つ以上のビームを選択する。そして、基地局１００は、自基地局（基地局１００）内のリソース割当状況等に、選択したビームに対応する無線リソース内に、端末装置３００が新規にＣＳＩ及びＳＲＳを送信するためのアップリンクリソースを割り当てる（Ｓ４０５）。
【０１０９】
その後、基地局１００は、ＣＳＩ及びＳＲＳを送信するためのアップリンクリソースを指定する情報（端末装置向けＣＳＩ／ＳＲＳリソース指定情報）を含むハンドオーバ要求確認応答（HANDOVER  REQUEST  ACKNOWLEDGE）メッセージを基地局２００へ送信する（Ｓ４０７）。ここで、ハンドオーバ要求確認応答（HANDOVER  REQUEST  ACKNOWLEDGE）メッセージは、ハンドオーバの指示に相当するＲＲＣレイヤのハンドオーバコマンド(HandoverCommand)メッセージも含む。
【０１１０】
基地局２００は、端末装置向けＣＳＩ／ＳＲＳリソース指定情報と、当該ハンドオーバコマンド（HandoverCommand）メッセージとを含むＲＲＣ信号（例えば、RRCConnectionReconfiguration  message）を端末装置３００へ送信する（Ｓ４０９）。
【０１１１】
その後、ハンドオーバ（Ｓ４１１）が完了すると、端末装置３００は、端末装置向けＣＳＩ／ＳＲＳリソース指定情報で指定されたアップリンクリソースを用いて、ＣＳＩ及びＳＲＳを基地局１００に送信する（Ｓ４１３）
【０１１２】
その後、基地局１００は、端末装置３００から送信されたＣＳＩ及びＳＲＳの受信結果に基づいて、ＤａｔａＣＨリソースの割り当てを行う（Ｓ４１５）
【０１１３】
なお、上述した処理の流れの例は、あくまで概略的なものであり、当然ながら、第１の実施形態では、上述したステップＳ４０１〜Ｓ４１５以外の送受信も行われ得る。
【０１１４】
−第１の実施形態の比較例に係る処理
次に、図８を参照して、第１の実施形態の比較例に係る処理を説明する。図８は、第１の実施形態の比較例に係る処理の概略的な流れの例を説明するためのシーケンス図である。
【０１１５】
端末装置１３００は、基地局１００により送信されるリファレンス信号の測定を行い、測定報告を基地局１２００（サービング基地局）へ送信する（Ｓ１００１）。続いて、基地局１２００（ソース基地局）から基地局１１００（ターゲット基地局）への端末装置１３００のハンドオーバが決定され、基地局１２００は、ハンドオーバ要求メッセージを、基地局１１００へ送信する（Ｓ１００３）。続いて、基地局１１００は、ハンドオーバの指示に相当するＲＲＣレイヤのハンドオーバコマンド(HandoverCommand)メッセージを含むハンドオーバ要求確認応答（HANDOVER  REQUEST  ACKNOWLEDGE）メッセージを基地局１２００へ送信する（Ｓ１００５）。その後、基地局１２００は、当該ハンドオーバコマンド（HandoverCommand）メッセージを含むＲＲＣ信号（例えば、RRCConnectionReconfiguration  message）を端末装置１３００へ送信する（Ｓ１００７）。
【０１１６】
その後、ハンドオーバ（Ｓ１００９）が完了すると、基地局１１００は、自基地局（基地局１１００）内のリソース割当状況等に基づいて、端末装置１３００が新規にＣＳＩ及びＳＲＳを送信するためのアップリンクリソースを割り当てる（Ｓ１０１３）。続いて、基地局１１００は、ＣＳＩ及びＳＲＳを送信するためのアップリンクリソースを指定する情報（端末装置向けＣＳＩ／ＳＲＳリソース指定情報）を含むＲＲＣ信号（例えば、RRCConnectionReconfiguration  message）を端末装置３００へ送信する（Ｓ１０１３）。続いて、端末装置１３００は、端末装置向けＣＳＩ／ＳＲＳリソース指定情報で指定されたアップリンクリソースを用いて、ＣＳＩ及びＳＲＳを基地局１１００に送信する（Ｓ１０１５）。続いて、基地局１１００は、端末装置１３００から送信されたＣＳＩ及びＳＲＳの受信結果に基づいて、ＤａｔａＣＨリソースの割り当てを行う（Ｓ１０１７）
【０１１７】
−評価
上記図７に示す処理によれば、ハンドオーバ要求確認応答及びハンドオーバコマンドに端末装置向けＣＳＩ／ＳＲＳリソース指定情報が含まれている。このため、例えば、上記図８に示す処理のように、ハンドオーバ完了後に端末装置３００が新規にＣＳＩ及びＳＲＳを送信するためのアップリンクリソースを割り当てる場合に比べ、上記図７に示す処理によれば、例えば、ハンドオーバ直後の端末装置を考慮したＤａｔａＣＨリソースの割り当てを、より早いタイミングで行うことができる。そのため、ハンドオーバ直後の端末装置のスループットを速やかに高めることが可能になる。
【０１１８】
（５）「送信する」の意味
ここでの「送信する」とは、例えば、複数のプロトコルレイヤのうちの少なくとも１つのプロトコルレイヤにおける送信処理を行うことを意味し、有線又は無線で信号を出力することを意味しない。同様に、ここでの「受信する」とは、例えば、複数のプロトコルレイヤのうちの少なくとも１つのプロトコルレイヤにおける受信処理を行うことを意味する。一例として、当該複数のプロトコルレイヤは、物理レイヤ、ＭＡＣ（Media  Access  Control）レイヤ、ＲＬＣ（Radio  Link  Control）レイヤ、ＰＤＣＰ（Packet  Data  Convergence  Protocol）レイヤ及びＲＲＣ（Radio  Resource  Control）レイヤである。別の例として、上記複数のプロトコルレイヤは、物理レイヤ、ＭＡＣレイヤ、ＩＰ（Internet  Protocol）レイヤ及びトランスポートレイヤである。
【０１１９】
また、ここでの「ＸをＹへ送信する」とは、ＸをＹへ直接的に送信することに限られず、ＸをＹへ間接的に送信すること（即ち、Ｘを他のノードへ送信し、当該他のノードによる転送を経てＸがＹへ送信されること）を含む。同様に、ここでの「ＸをＹから受信する」とは、ＸをＹから直接的に受信することに限られず、ＸをＹから間接的に受信すること（即ち、Ｙにより送信されたＸを他のノードによる転送を経て受信すること）を含む。
【０１２０】
＜＜３．第２の実施形態＞＞
続いて、図９乃至図及び図１２を参照して、本発明の第２の実施形態を説明する。上述した第１の実施形態は、具体的な実施形態であるが、第２の実施形態は、より一般化された実施形態である。
【０１２１】
＜３．１．システムの構成＞
図９を参照して、第２の実施形態に係るシステム２の構成の例を説明する。図９は、第２の実施形態に係るシステム２の概略的な構成の一例を示す説明図である。図９を参照すると、システム２は、基地局５００、基地局６００及び端末装置７００を含む。
【０１２２】
例えば、システム１は、３ＧＰＰの規格に準拠したシステムであってもよい。より具体的には、例えば、システム１は、第５世代（５Ｇ）の規格に準拠したシステムであってもよい。
【０１２３】
例えば、基地局５００、基地局６００及び端末装置７００についての説明は、第１の実施形態の基地局１００、基地局２００及び端末装置３００についての説明と同じである。よって、ここでは重複する説明を省略する。
【０１２４】
＜３．２．基地局５００の構成＞
次に、図１０を参照して、第２の実施形態の基地局５００の構成の例を説明する。図１０は、第２の実施形態の基地局５００の概略的な構成の例を示すブロック図である。図１０を参照すると、基地局５００は、取得部５１０及び第１通信処理部５２０を備える。
【０１２５】
取得部５１０及び第１通信処理部５２０の具体的な動作は、後に説明する。
【０１２６】
取得部５１０及び第１通信処理部５２０は、ベースバンド（ＢＢ）プロセッサ及び／又は他のプロセッサ等により実装されてもよい。取得部５１０及び第１通信処理部５２０は、同一のプロセッサにより実装されてもよく、別々に異なるプロセッサにより実装されてもよい。
【０１２７】
基地局５００は、プログラムを記憶するメモリと、当該プログラムを実行可能な１つ以上のプロセッサとを含んでもよく、当該１つ以上のプロセッサは、取得部５１０及び第１通信処理部５２０の動作を行ってもよい。上記プログラムは、取得部５１０及び第１通信処理部５２０の動作を上記１つ以上のプロセッサに実行させるためのプログラムであってもよい。
【０１２８】
＜３．３．基地局６００の構成＞
次に、図１１を参照して、第２の実施形態の基地局６００の構成の例を説明する。図１１は、第２の実施形態の基地局６００の概略的な構成の例を示すブロック図である。図１１を参照すると、基地局６００は、第１通信処理部６１０及び第２通信処理部６２０を備える。
【０１２９】
第１通信処理部６１０及び第２通信処理部６２０の具体的な動作は、後に説明する。
【０１３０】
第１通信処理部６１０及び第２通信処理部６２０は、ベースバンド（ＢＢ）プロセッサ及び／又は他のプロセッサ等により実装されてもよい。第１通信処理部６１０及び第２通信処理部６２０は、同一のプロセッサにより実装されてもよく、別々に異なるプロセッサにより実装されてもよい。
【０１３１】
基地局６００は、プログラムを記憶するメモリと、当該プログラムを実行可能な１つ以上のプロセッサとを含んでもよく、当該１つ以上のプロセッサは、第１通信処理部６１０及び第２通信処理部６２０の動作を行ってもよい。上記プログラムは、第１通信処理部６１０及び第２通信処理部６２０の動作を上記１つ以上のプロセッサに実行させるためのプログラムであってもよい。
【０１３２】
＜３．４．端末装置７００の構成＞
次に、図１２を参照して、第２の実施形態の端末装置７００の構成の例を説明する。図１２は、第２の実施形態の端末装置７００の概略的な構成の例を示すブロック図である。図１２を参照すると、端末装置７００は、受信処理部７１０及び送信処理部７２０を備える。
【０１３３】
受信処理部７１０及び送信処理部７２０の具体的な動作は、後に説明する。
【０１３４】
受信処理部７１０及び送信処理部７２０は、ベースバンド（ＢＢ）プロセッサ及び／又は他のプロセッサ等により実装されてもよい。受信処理部７１０及び送信処理部７２０は、同一のプロセッサにより実装されてもよく、別々に異なるプロセッサにより実装されてもよい。
【０１３５】
端末装置７００は、プログラムを記憶するメモリと、当該プログラムを実行可能な１つ以上のプロセッサとを含んでもよく、当該１つ以上のプロセッサは、受信処理部７１０及び送信処理部７２０の動作を行ってもよい。上記プログラムは、受信処理部７１０及び送信処理部７２０の動作を上記１つ以上のプロセッサに実行させるためのプログラムであってもよい。
【０１３６】
＜３．５．技術的特徴＞
次に、第２の実施形態の技術的特徴を説明する。
【０１３７】
第２の実施形態では、基地局５００（取得部５１０）は、端末装置７００のハンドオーバのソース基地局（基地局６００）からのハンドオーバメッセージに対する応答メッセージであって、端末装置７００のための測定に関するアップリンクリソースの情報を含む応答メッセージを取得する。そして、基地局５００（第１通信処理部５２０）は、上記ハンドオーバメッセージに対する上記応答メッセージを、上記ソース基地局（基地局６００）へ送信する。
【０１３８】
なお、取得部５１０は、第１の実施形態の取得部１４５と同様に動作してもよく、第１通信処理部５２０は、第１の実施形態の第１通信処理部１４１と同様に動作してもよい。
【０１３９】
また、基地局６００（第１通信処理部６１０）は、端末装置７００のハンドオーバのターゲット基地局（基地局５００）から、端末装置７００のための上記測定に関する上記アップリンクリソースの上記情報を含む上記応答メッセージを受信する。そして、基地局６００（第２通信処理部６２０）は、端末装置７００のための上記測定に関する上記アップリンクリソースの上記情報に対応する情報を含むハンドオーバコマンドメッセージを、端末装置７００に送信する。
【０１４０】
なお、第１通信処理部６１０は、第１の実施形態の第１通信処理部２４１と同様に動作してもよく、第２通信処理部６２０は、第１の実施形態の第２通信処理部２４３と同様に動作してもよい。
【０１４１】
さらに、端末装置７００（受信処理部７１０）は、上記ソース基地局（基地局６００）から、端末装置７００のための上記測定に関する上記アップリンクリソースの上記情報を含む上記ハンドオーバコマンドメッセージを受信する。そして、端末装置７００（送信処理部７２０）は、上記測定に関する上記アップリンクリソースの上記情報を用いて、上記ターゲット基地局（基地局５００）に信号を送信する。
【０１４２】
なお、受信処理部７１０は、第１の実施形態の受信処理部３３１と同様に動作してもよく、送信処理部７２０は、第１の実施形態の送信処理部３３３と同様に動作してもよい。
【０１４３】
これにより、例えば、ハンドオーバ直後の端末装置を考慮したデータチャネル（Data  CH）の割り当てのために時間を削減することが可能になる。そのため、ハンドオーバ直後の端末装置のスループットを速やかに高めることが可能になる。
【０１４４】
＜＜４．他の実施形態＞＞
以上、本発明の実施形態を説明したが、本発明はこれらの実施形態に限定されるものではない。これらの実施形態は例示にすぎないということ、及び、本発明のスコープ及び精神から逸脱することなく様々な変形が可能であるということは、当業者に理解されるであろう。
【０１４５】
例えば、本明細書に記載されている処理におけるステップは、必ずしもシーケンス図に記載された順序に沿って時系列に実行されなくてよい。例えば、処理におけるステップは、シーケンス図として記載した順序と異なる順序で実行されても、並列的に実行されてもよい。また、処理におけるステップの一部が削除されてもよく、さらなるステップが処理に追加されてもよい。
【０１４６】
また、本明細書において説明した基地局の構成要素（例えば、第１通信処理部、第２通信処理部、及び／又は取得部）を備える装置（例えば、基地局を構成する複数の装置（又はユニット）のうちの１つ以上の装置（又はユニット）、又は上記複数の装置（又はユニット）のうちの１つのためのモジュール）が提供されてもよい。本明細書において説明した端末装置の構成要素（例えば、受信処理部、及び／又は送信処理部）を備える装置（例えば、端末装置のためのモジュール）が提供されてもよい。また、上記構成要素の処理を含む方法が提供されてもよく、上記構成要素の処理をプロセッサに実行させるためのプログラムが提供されてもよい。また、当該プログラムを記録したコンピュータに読み取り可能な非一時的記録媒体（Non-transitory  computer  readable  medium）が提供されてもよい。当然ながら、このような装置、モジュール、方法、プログラム、及びコンピュータに読み取り可能な非一時的記録媒体も本発明に含まれる。
【０１４７】
上記実施形態の一部又は全部は、以下の付記のようにも記載され得るが、以下には限られない。
【０１４８】
（付記１）
端末装置のハンドオーバのソース基地局からのハンドオーバメッセージに対する応答メッセージであって、前記端末装置のための測定に関するアップリンクリソースの情報を含む応答メッセージを取得する取得部と、
前記ハンドオーバメッセージに対する前記応答メッセージを、前記ソース基地局へ送信する第１通信処理部と、を備える装置。
【０１４９】
（付記２）
前記端末装置のための前記測定に関する前記アップリンクリソースの前記情報は、前記端末装置が測定情報を送信するためのリソースに関する情報を含む、付記１記載の装置。
【０１５０】
（付記３）
前記端末装置のための前記測定に関する前記アップリンクリソースの前記情報は、前記端末装置が前記測定情報を送信するためのリソースを指示する情報を含む、付記２記載の装置。
【０１５１】
（付記４）
前記測定情報は、ＣＳＩ（Channel  State  Information）である、付記２又は３記載の装置。
【０１５２】
（付記５）
前記端末装置のための前記測定に関する前記アップリンクリソースの前記情報は、前記端末装置がアップリンクリファレンス信号を送信するためのリソースに関する情報を含む、付記１乃至４のうち何れか１項記載の装置。
【０１５３】
（付記６）
前記端末装置のための前記測定に関する前記アップリンクリソースの前記情報は、前記端末装置がアップリンクリファレンス信号を送信するためのリソースを指示する情報を含む、付記５記載の装置。
【０１５４】
（付記７）
前記アップリンクリファレンス信号は、ＳＲＳ（Sounding  Reference  Signal）である、付記５又は６記載の装置。
【０１５５】
（付記８）
前記端末装置のための前記測定に関する前記アップリンクリソースの前記情報は、前記ソース基地局から前記端末装置へ送信される情報である、付記１乃至７のうち何れか１項記載の装置。
【０１５６】
（付記９）
前記端末装置のための前記測定に関する前記アップリンクリソースの前記情報に基づいて前記端末装置から送信される信号を受信する第２通信処理部を更に備える、付記８記載の装置。
【０１５７】
（付記１０）
前記第１通信処理部は、ビームに関するビーム関連情報を含むハンドオーバメッセージを、前記ソース基地局から受信し、
前記端末装置のための前記測定に関する前記アップリンクリソースの前記情報は、前記ビーム関連情報に基づいて選択される無線リソース内におけるアップリンクリソースの情報であって、前記端末装置のための前記測定に関するアップリンクリソースの情報である、付記１乃至８のうち何れか１項記載の装置。
【０１５８】
（付記１１）
ビームフォーミングを用いてビームを送信する第２通信処理部を更に備え、
前記ビーム関連情報は、当該装置によりビームフォーミングを用いて送信されるビームに関する情報である、付記１０記載の装置。
【０１５９】
（付記１２）
前記ビーム関連情報に基づいて選択される前記無線リソースに対応するビームフォーミング重みの１つ以上のセットを用いて、前記端末装置のための前記測定に関する前記アップリンクリソースの前記情報に基づいて前記端末装置から送信される信号を受信する第２通信処理部を更に備える、付記１０記載の装置。
【０１６０】
（付記１３）
前記ビーム関連情報は、複数のビームのうちの１つ以上に関する情報である、付記１０乃至１２の何れか１項記載の装置。
【０１６１】
（付記１４）
前記ビーム関連情報は、前記複数のビームのうちの１つ以上を示す情報である、付記１３記載の装置。
【０１６２】
（付記１５）
前記端末装置のための前記測定に関する前記アップリンクリソースの前記情報は、前記ビーム関連情報に基づいて選択される１以上のビームに対応する無線リソース内におけるアップリンクリソースの情報であって、前記端末装置のための前記測定に関するアップリンクリソースの情報である、付記１３又は１４記載の装置。
【０１６３】
（付記１６）
前記ビーム関連情報は、ビームフォーミング重みの複数のセットのうちの１つ以上のセットを示す情報である、付記１０乃至１２のうち何れか１項記載の装置。
【０１６４】
（付記１７）
前記端末装置のための前記測定に関する前記アップリンクリソースの前記情報は、前記ビーム関連情報に基づいて選択されるビームフォーミング重みの１つ以上のセットに対応する無線リソース内におけるアップリンクリソースの情報であって、前記端末装置のための前記測定に関するアップリンクリソースの情報である、付記１５又は１６記載の装置。
【０１６５】
（付記１８）
前記ビーム関連情報は、前記端末装置から前記ソース基地局へ送信されるビーム関連情報に対応する、付記１０乃至１７のうちの何れか１項記載の装置。
【０１６６】
（付記１９）
前記装置は、基地局、基地局を構成する複数の装置のうちの１つ以上の装置、又は当該複数の装置のうちの１つのためのモジュールである、付記１乃至１８のうちの何れか１項記載の装置。
【０１６７】
（付記２０）
端末装置のハンドオーバのターゲット基地局に送信されたハンドオーバメッセージに対する応答メッセージであって、前記端末装置のための測定に関するアップリンクリソースの情報を含む応答メッセージを受信する第１通信処理部と、
前記端末装置のための前記測定に関する前記アップリンクリソースの前記情報に対応する情報を含むハンドオーバコマンドメッセージを、前記端末装置に送信する第２通信処理部と、を備える装置。
【０１６８】
（付記２１）
前記端末装置のための前記測定に関する前記アップリンクリソースの前記情報は、前記端末装置が測定情報を送信するためのリソースに関する情報を含む、付記２０記載の装置。
【０１６９】
（付記２２）
前記端末装置のための前記測定に関する前記アップリンクリソースの前記情報は、前記端末装置が測定情報を送信するためのリソースを指示する情報を含む、付記２１記載の装置。
【０１７０】
（付記２３）
前記端末装置の前記測定情報は、ＣＳＩ（Channel  State  Information）である、付記２１又は２２記載の装置。
【０１７１】
（付記２４）
前記端末装置のための前記測定に関する前記アップリンクリソースの前記情報は、前記端末装置がアップリンクリファレンス信号を送信するためのリソースに関する情報を含む、付記２０乃至２３のうち何れか１項記載の装置。
【０１７２】
（付記２５）
前記端末装置のための前記測定に関する前記アップリンクリソースの前記情報は、前記端末装置がアップリンクリファレンス信号を送信するためのリソースを指示する情報を含む、付記２４記載の装置。
【０１７３】
（付記２６）
前記アップリンクリファレンス信号は、ＳＲＳ（Sounding  Reference  Signal）である、付記２５記載の装置。
【０１７４】
（付記２７）
前記第２通信処理部は、ビームに関する第１のビーム関連情報を前記端末装置から受信し、
前記第１通信処理部は、前記第１のビーム関連情報に対応する第２のビーム関連情報を含むハンドオーバメッセージを、前記ターゲット基地局に送信し、
前記端末装置のための前記測定に関する前記アップリンクリソースの前記情報は、前記第２のビーム関連情報に基づいて選択される無線リソース内におけるアップリンクリソースの情報であって、前記端末装置のための前記測定に関するアップリンクリソースの情報である、付記２０乃至２６のうち何れか１項記載の装置。
【０１７５】
（付記２８）
前記第１のビーム関連情報は、前記ターゲット基地局によりビームフォーミングを用いて送信されるビームに関する情報である、付記２７記載の装置。
【０１７６】
（付記２９）
前記第２のビーム関連情報は、前記第１のビーム関連情報と同一の情報である、付記２７又は２８記載の装置。
【０１７７】
（付記３０）
前記第２通信処理部は、前記端末装置から送信される測定報告を受信し、
前記測定報告は、前記第１のビーム関連情報を含む、
付記２７乃至２９のうち何れか１項記載の装置。
【０１７８】
（付記３１）
前記装置は、基地局、基地局を構成する複数の装置のうちの１つ以上の装置、又は当該複数の装置のうちの１つのためのモジュールである、付記２０乃至３０のうちの何れか１項記載の装置。
【０１７９】
（付記３２）
端末装置のハンドオーバのソース基地局から、前記端末装置のための測定に関するアップリンクリソースの情報を含むハンドオーバコマンドメッセージを受信する受信処理部と、
前記端末装置のための前記測定に関する前記アップリンクリソースの前記情報に基づき、前記ハンドオーバのターゲット基地局に信号を送信する送信処理部と、を備える装置。
【０１８０】
（付記３３）
前記端末装置のための前記測定に関する前記アップリンクリソースの前記情報は、前記端末装置が測定情報を送信するためのリソースに関する情報を含む、付記３２記載の装置。
【０１８１】
（付記３４）
前記端末装置のための前記測定に関する前記アップリンクリソースの前記情報は、前記端末装置が測定情報を送信するためのリソースを指示する情報を含む、付記３３記載の装置。
【０１８２】
（付記３５）
前記端末装置の前記測定情報は、ＣＳＩ（Channel  State  Information）である、付記３３又は３４記載の装置。
【０１８３】
（付記３６）
前記端末装置のための前記測定に関する前記アップリンクリソースの前記情報は、前記端末装置がアップリンクリファレンス信号を送信するためのリソースに関する情報を含む、付記３２乃至３５のうち何れか１項記載の装置。
【０１８４】
（付記３７）
前記端末装置のための前記測定に関する前記アップリンクリソースの前記情報は、前記端末装置がアップリンクリファレンス信号を送信するためのリソースを指示する情報を含む、付記３６記載の装置。
【０１８５】
（付記３８）
前記アップリンクリファレンス信号は、ＳＲＳ（Sounding  Reference  Signal）である、付記３７記載の装置。
【０１８６】
（付記３９）
前記送信処理部は、ビームに関する第１のビーム関連情報を前記ソース基地局に送信し、
前記端末装置のための前記測定に関する前記アップリンクリソースの前記情報は、前記第１のビーム関連情報に対応する第２のビーム関連情報に基づいて選択される無線リソース内におけるアップリンクリソースの情報であって、前記端末装置のための前記測定に関するアップリンクリソースの情報である、付記３２乃至３８のうち何れか１項記載の装置。
【０１８７】
（付記４０）
前記第１のビーム関連情報は、前記ターゲット基地局によりビームフォーミングを用いて送信されるビームに関する情報である、付記３９記載の装置。
【０１８８】
（付記４１）
前記送信処理部は、測定報告を前記ソース基地局に送信し、
前記測定報告は、前記第１のビーム関連情報を含む、付記３９又は４０記載の装置。
【０１８９】
（付記４２）
前記送信処理部は、前記端末装置のための前記測定に関する前記アップリンクリソースの前記情報に基づき、前記第１のビーム関連情報に対応する前記第２のビーム関連情報に基づいて選択される無線リソースを用いて、前記ハンドオーバのターゲット基地局に信号を送信する、付記３９乃至４１のうち何れか１項記載の装置。
【０１９０】
（付記４３）
前記装置は、端末装置、又は端末装置のためのモジュールである、付記３２乃至４１のうちの何れか１項記載の装置。
【０１９１】
（付記４４）
端末装置のハンドオーバのソース基地局からのハンドオーバメッセージに対する応答メッセージであって、前記端末装置のための測定に関するアップリンクリソースの情報を含む応答メッセージを取得することと、
前記ハンドオーバメッセージに対する前記応答メッセージを、前記ソース基地局へ送信することと、を含む方法。
【０１９２】
（付記４５）
端末装置のハンドオーバのターゲット基地局に送信されたハンドオーバメッセージに対する応答メッセージであって、前記端末装置のための測定に関するアップリンクリソースの情報を含む応答メッセージを受信することと、
前記端末装置のための前記測定に関する前記アップリンクリソースの前記情報に対応する情報を含むハンドオーバコマンドメッセージを、前記端末装置に送信することと、を含む方法。
【０１９３】
（付記４６）
端末装置のハンドオーバのソース基地局から、前記端末装置のための測定に関するアップリンクリソースの情報を含むハンドオーバコマンドメッセージを受信することと、
前記端末装置のための前記測定に関する前記アップリンクリソースの前記情報に基づき、前記ハンドオーバのターゲット基地局に信号を送信することと、を含む方法。
【０１９４】
（付記４７）
端末装置のハンドオーバのソース基地局からのハンドオーバメッセージに対する応答メッセージであって、前記端末装置のための測定に関するアップリンクリソースの情報を含む応答メッセージを取得することと、
前記ハンドオーバメッセージに対する前記応答メッセージを、前記ソース基地局へ送信することと、をプロセッサに実行させるためのプログラム。
【０１９５】
（付記４８）
端末装置のハンドオーバのターゲット基地局に送信されたハンドオーバメッセージに対する応答メッセージであって、前記端末装置のための測定に関するアップリンクリソースの情報を含む応答メッセージを受信することと、
前記端末装置のための前記測定に関する前記アップリンクリソースの前記情報に対応する情報を含むハンドオーバコマンドメッセージを、前記端末装置に送信することと、をプロセッサに実行させるためのプログラム。
【０１９６】
（付記４９）
端末装置のハンドオーバのソース基地局から、前記端末装置のための測定に関するアップリンクリソースの情報を含むハンドオーバコマンドメッセージを受信することと、
前記端末装置のための前記測定に関する前記アップリンクリソースの前記情報に基づき、前記ハンドオーバのターゲット基地局に信号を送信することと、をプロセッサに実行させるためのプログラム。
【０１９７】
（付記５０）
端末装置のハンドオーバのソース基地局からのハンドオーバメッセージに対する応答メッセージであって、前記端末装置のための測定に関するアップリンクリソースの情報を含む応答メッセージを取得することと、
前記ハンドオーバメッセージに対する前記応答メッセージを、前記ソース基地局へ送信することと、をプロセッサに実行させるためのプログラムを記録した読み取り可能な記録媒体。
【０１９８】
（付記５１）
端末装置のハンドオーバのターゲット基地局に送信されたハンドオーバメッセージに対する応答メッセージであって、前記端末装置のための測定に関するアップリンクリソースの情報を含む応答メッセージを受信することと、
前記端末装置のための前記測定に関する前記アップリンクリソースの前記情報に対応する情報を含むハンドオーバコマンドメッセージを、前記端末装置に送信することと、をプロセッサに実行させるためのプログラムを記録した読み取り可能な記録媒体。
【０１９９】
（付記５２）
端末装置のハンドオーバのソース基地局から、前記端末装置のための測定に関するアップリンクリソースの情報を含むハンドオーバコマンドメッセージを受信することと、
前記端末装置のための前記測定に関する前記アップリンクリソースの前記情報に基づき、前記ハンドオーバのターゲット基地局に信号を送信することと、をプロセッサに実行させるためのプログラムを記録した読み取り可能な記録媒体。
【産業上の利用可能性】
【０２００】
移動体通信システムにおいて、ハンドオーバ直後の端末装置のスループットを速やかに高めることができる。
【符号の説明】
【０２０１】
１、２  システム
１００、２００、５００、６００  基地局
３００、７００  端末装置
１４１、２４１、５２０、６１０  第１通信処理部
１４３、２４３、６２０  第２通信処理部
１４５、５１０  取得部
【図１】
2019068177.tif 000003
【図２】
2019068177.tif 000004
【図３】
2019068177.tif 000005
【図４】
2019068177.tif 000006
【図５】
2019068177.tif 000007
【図６】
2019068177.tif 000008
【図７】
2019068177.tif 000009
【図８】
2019068177.tif 000010
【図９】
2019068177.tif 000011
【図１０】
2019068177.tif 000012
【図１１】
2019068177.tif 000013
【図１２】
2019068177.tif 000014